(57)【要約】【課題】  天然竹を模した立体的な節目を有する合成樹脂製の模擬丸竹を効率よく安価に製造する。【解決手段】  押出成形装置３１の押出方向後方に節目形成装置３２を配置し，押出成形装置３１から押出成形直後の押出樹脂材１１に節目形成装置３２設置の節目形成金型によって立体節目を形成する。押出樹脂材１１の節目形成は，節目形成金型を押出速度に同調して押出方向に移動しながら真空ポンプによって金型内空気を吸引し押出樹脂材１１を節目形成金型の内面壁に吸着させることによって行なう。押出樹脂材１１は押出成形直後であるために比較的高温の状態にあり，真空ポンプの吸引による内壁面への吸着の結果，その表面に内壁面に合せた形状の立体節目が形成される。【選択図】        図３
2004249719.tif 000002
【特許請求の範囲】
【請求項１】
円形の押出樹脂材に対応して断面形状を円形とした節目形成用金型を上記押出樹脂材の押出速度に同調して押出方向に移動しながらその金型内空気を真空ポンプで吸引し，押出成形直後の押出樹脂材を該節目形成金型の内面壁に吸着させることにより該押出樹脂材表面に上記金型の内面壁に合せた立体節目を突出形成してなることを特徴とする立体節目付き合成樹脂製模擬丸竹。
【請求項２】
円形の押出樹脂材に対応して断面形状を円形とした節目形成用金型を上記押出樹脂材の押出速度に同調して押出方向に移動しながらその金型内空気を真空ポンプで吸引し，押出成形直後の押出樹脂材を該節目形成金型の内面壁に吸着させることにより該押出樹脂材表面に上記金型の内面壁に合せた立体節目を突出形成することを特徴とする合成樹脂製模擬丸竹の立体節目形成方法。
【請求項３】
押出成形装置の押出方向後方に配置して該押出成形装置からの押出成型直後の押出樹脂材に立体節目を形成する節目形成装置であって，円形の押出樹脂材に対応して断面形状を円形とした節目形成用金型と，該節目形成金型を上記押出樹脂材の押出速度に同調して押出方向に移動しながらその金型内空気を吸引し，上記押出成形直後の押出樹脂材を該節目形成金型の内面壁に吸着させる真空ポンプとを備えてなることを特徴とする合成樹脂製模擬丸竹の立体節目形成装置。
【発明の詳細な説明】
【技術分野】
【０００１】
本発明は天然竹の節目を模した節目を有する立体節目付き合成樹脂製模擬丸竹，その立体節目形成方法及び立体節目形成装置に関する。
【背景技術】
【０００２】
この種合成樹脂製の模擬竹として，例えば節目のある天然竹の形状を幅方向に緩い円弧が連続するように波形に配置して竹垣形成用の板状単位部材としたものが知られており，該板状単位部材は，薄板状に形成された熱可塑性のシート（板状素材）を加熱した金型（型）を用いてパネル状に成形したものとされている。また他の模擬竹として射出成形した半割竹の各成形材に節目を個別に形成するようにそれぞれバッチ式の型押しを施すようにしたものも知られている。
【０００３】
【特許文献１】実公平７−４６６８９号公報
【発明の開示】
【発明が解決しようとする課題】
【０００４】
これらは表面に節目を形成したものとされるが，前者のものは幅方向に円弧を連続した波形のパネルをなすものであり，後者のものはバッチ式の型押しで個別に節目を形成し，その製造に多くの工数と時間を必要とする半割竹をなすものである。
【０００５】
本発明はかかる模擬竹の事情に鑑みてなされたもので，その解決課題とするところは，第１に断面円形をなす押出樹脂材に天然竹の節目を模した立体的な節目を形成した立体節目付きの模擬丸竹を提供するにあり，第２に模擬丸竹に天然竹の節目を模した立体的な節目を形成するに用いる模擬丸竹の節目形成方法を提供するにあり，第３に模擬丸竹に天然竹の節目を模した模擬丸竹の節目を形成するに使用する模擬丸竹の節目形成装置を提供するにある。
【課題を解決するための手段】
【０００６】
請求項１に記載の発明は，上記第１の課題に添って，これを，円形の押出樹脂材に対応して断面形状を円形とした節目形成用金型を上記押出樹脂材の押出速度に同調して押出方向に移動しながらその金型内空気を真空ポンプで吸引し，押出成形直後の押出樹脂材を該節目形成金型の内面壁に吸着させることにより該押出樹脂材表面に上記金型の内面壁に合せた立体節目を突出形成してなることを特徴とする立体節目付き合成樹脂製模擬丸竹としたものである。
【０００７】
請求項２に記載の発明は，上記第２の課題に添って，これを，円形の押出樹脂材に対応して断面形状を円形とした節目形成用金型を上記押出樹脂材の押出速度に同調して押出方向に移動しながらその金型内空気を真空ポンプで吸引し，押出成形直後の押出樹脂材を該節目形成金型の内面壁に吸着させることにより該押出樹脂材表面に上記金型の内面壁に合せた立体節目を突出形成することを特徴とする合成樹脂製模擬丸竹の立体節目形成方法としたものである。
【０００８】
請求項３に記載の発明は，上記第３の課題に添って，これを，押出成形装置の押出方向後方に配置して該押出成形装置からの押出成型直後の押出樹脂材に立体節目を形成する節目形成装置であって，円形の押出樹脂材に対応して断面形状を円形とした節目形成用金型と，該節目形成金型を上記押出樹脂材の押出速度に同調して押出方向に移動しながらその金型内空気を吸引し，上記押出成形直後の押出樹脂材を該節目形成金型の内面壁に吸着させる真空ポンプとを備えてなることを特徴とする合成樹脂製模擬丸竹の立体節目形成装置としたものである。
【０００９】
本発明はこれらをそれぞれ発明の要旨として上記課題解決の手段としたものである。
【発明の効果】
【００１０】
本発明は以上のとおりに構成したから，請求項１に記載の発明は，真空ポンプの吸引によって，押出成形直後の比較的高温の温度条件にある押出樹脂材を節目形成用金型の内面壁に吸着させて該内面壁に合せた立体節目を突出形成することにより，押出樹脂材を搬送しながらその押出速度，即ち製造速度を低下することなく安価で高品質に製造することが可能にして，断面円形をなす押出樹脂材の表面に天然竹の節目を模した立体節目を突出形成した立体節目付き模擬丸竹を提供することができる。
【００１１】
請求項２に記載の発明は，同じく真空ポンプの吸引によって，押出成形直後の比較的高温の温度条件にある押出樹脂材を節目形成用金型の内面壁に吸着させて該内面壁に合せた立体節目を突出形成することにより，押出樹脂材を搬送しながらその押出速度，即ち製造速度を低下することなく安価で高品質に製造することが可能にして，断面円形をなす押出樹脂材の表面に天然竹の節目を模した立体節目を突出形成した模擬丸竹の立体節目形成方法を提供することができる。
【００１２】
請求項３に記載の発明は，同じく真空ポンプの吸引によって，押出成形直後の比較的高温の温度条件にある押出樹脂材を節目形成用金型の内面壁に吸着させて該内面壁に合せた立体節目を突出形成することにより，押出樹脂材を搬送しながらその押出速度，即ち製造速度を低下することなく安価で高品質に製造することが可能にして，断面円形をなす押出樹脂材の表面に天然竹の節目を模した立体節目を突出形成した模擬丸竹の立体節目形成装置を提供することができる。
【発明を実施するための最良の形態】
【００１３】
以下図面の例に従って本発明を更に具体的に説明すると，１は合成樹脂製の模擬丸竹，１２は該模擬丸竹１の表面に形成した立体節目であり，該立体節目１２は模擬丸竹１の長手方向に設定した間隔に配置され，天然竹に見られる立体の節目を模した模様を形成するようにしたものとされている。
【００１４】
模擬丸竹１は，断面円形に押出成形した塩化ビニル，ＡＢＳ，ＡＥＳ等の硬質合成樹脂製本体部分及びその表面を被覆して軟質合成樹脂製の表層部分による２層構造の丸竹材をなす押出樹脂材１１と，これに形成した上記立体節目１２を備えた合成樹脂製のものとしてあり，このとき該立体節目１２は，円形の押出樹脂材１１に対応して断面形状を円形とした節目形成用金型を上記押出樹脂材１１の押出速度に同調して押出方向に移動しながらその金型内空気を真空ポンプで吸引し，押出成形直後の押出樹脂材１１を該節目形成金型の内面壁に吸着させることにより該押出樹脂材表面に上記金型の内面壁に合せた立体節目を突出形成する立体節目形成方法によって，これを押出樹脂材１１の表面に突出形成したものとしてある。
【００１５】
即ち模擬丸竹１をその製造方法並びにこれに用いる装置によって説明すれば，該模擬丸竹１は，上記２層構造の押出樹脂材１１を押出成形する押出成形工程と，該押出成形直後に上記立体節目１２を形成する節目形成工程と，押出樹脂材１１を所定温度に冷却する冷却工程と，該押出樹脂材１１を所定速度で押出方向に引き取る引取工程と，その後に所定長さに切断して完成材の模擬丸竹１とする切断工程とによって，これを製造するものとしてあり，このときその製造装置３は，上記押出成形工程用の押出成形装置３１，節目形成工程用の節目形成装置３２，冷却工程用の冷却装置３３，引取工程用の引取装置３４，切断工程用の切断装置３５を，図３に示すとおり，その押出成形装置３１を先頭にして押出方向に向けて順次配置し，押出成形工程によって成形する押出樹脂材１１にその後の工程を順次施すことによって上記立体節目１２を備えた模擬丸竹１の製造を行なうようにしてある。
【００１６】
押出成形装置３１は，上記硬質合成樹脂本体部分をなす第１成形機と上記軟質合成樹脂表層部分をなす第２成形機とを備えてあり，その第１成形機のホッパーに硬質合成樹脂の原料樹脂を，第２成形機のホッパーに軟質合成樹脂の原料樹脂をそれぞれ投入し，第１成形機で上記本体部分の押出成形を，第２成形機で表層部分の成形を行なうことによって，該押出成形装置３１を用いた上記押出成形工程を施すものとしてある。これらの押出成形には従来の押出成型技術を適用できるのでこれに従ってその成型を行うようにすればよい。
【００１７】
節目形成装置３２は，上記押出成形装置３１の押出方向後方に配置して該押出成形装置３１からの押出成型直後の押出樹脂材１１に立体節目１２を形成するものとしてあり，円形の押出樹脂材１１に対応して断面形状を円形とした節目形成用金型と，該節目形成金型を上記押出樹脂材１１の押出速度に同調して押出方向に移動しながらその金型内空気を吸引し，上記押出成形直後の押出樹脂材を該節目形成金型の内面壁に吸着させる真空ポンプとを備えたものとしてあり，このとき節目形成装置３２は押出樹脂材１１の押出方向に沿って設けられた水平軸に案内されて往復運動する搬送装置３２１を備え，該搬送装置３２１上に上記節目形成用金型を有する節形成部３２２を配設してある。
【００１８】
節目形成用金型は，円形の押出樹脂材１１に対応した断面形状を円形とし上記真空ポンプの吸引によって押出成形直後の押出樹脂材１１を内面壁に吸着し，該押出樹脂材１１の表面に立体節目１２を突出形成し得るものとしてあり，このとき該節目形成用金型は上記真空ポンプによって金型内空気を吸引するために吸引用通孔を形成したものとしてあり，該金型内空気の真空ポンプによる吸引は該吸引用通孔を介してこれを行なうものとしてある。
【００１９】
節目形成装置３２は，押出成形装置３１の押出方向後方に配置して該押出成形装置３１からの押出成形直後の押出樹脂材１１に立体節目１２を形成するから，押出樹脂材１１への立体節目１２の形成は，該押出樹脂材１１が押出成形装置３１による押出成形直後であることによってその温度を比較的高温にして良好な立体節目１２の形成をし易い温度条件に保つことができる。また真空ポンプの吸引は，節目形成金型を上記押出樹脂材１１の押出速度に同調して押出方向に移動しながら行なうから，押出樹脂材１１を停止することなく搬送しながら効率よく立体節目１２を形成することができ，模擬丸竹１の製造効率を大幅に向上することができる。
【００２０】
冷却装置３３は，例えば冷却水を押出樹脂材１１に吹き付けるノズルと出口側のエア噴射装置を備えたものとし，上記ノズルから上記比較的高温の押出材１１に冷却水を吹き付け，これを冷却しその樹脂の固化を行なうことによって，該冷却装置３３を用いた上記冷却工程を施すものとしてあり，このとき併せて上記エア噴射装置からエアを噴射して押出材１１に付着した水分を除去するものとしてある。
【００２１】
冷却固化した押出樹脂材１１は，これを引っ張り状に引き取りする引取装置３４による引取工程を経て，切断装置３５による切断工程で所定の長さに切断し，上記製造装置３による５工程の製造方法による節目付き模擬丸竹１の製造を完成する。なお引取装置３４は押出樹脂材１１を引っ張り状に引き取ることにより製造ラインで押出樹脂材１１を搬送する役目を担い，その引取速度によって押出速度を定めるものとしてあり，また切断装置３５には押出樹脂材１１の先端が当接することによって該押出樹脂材１１を切断する切断刃を動作するスイッチを備えたものとしてある。
【００２２】
以上のように製造された模擬丸竹１は，断面円形をなす押出樹脂材の表面に天然竹の節目を模した立体節目１２を突出形成した立体節目付きのものとなり，安価で高品質のものとすることができる。該模擬丸竹１は，例えば第２図に示すように，大小のものを用いて竹垣２とする如くに使用することによって，庭園の間仕切や装飾壁面を形成するものとできる。
【図面の簡単な説明】
【００２３】
【図１】模擬丸竹の斜視図である。
【図２】模擬丸竹による竹垣の例を示す正面図である。
【図３】模擬丸竹の押出方向に配置した製造装置の側面図である。
【符号の説明】
【００２４】
１  模擬丸竹
１１  押出樹脂材
１２  立体節目
２  竹垣
３  製造装置
３１  押出成形装置
３２  節形成装置
３２１  搬送装置
３２２  節形成部
３３  冷却装置
３４  引張装置
３５  切断装置
【図１】
2004249719.tif 000003
【図２】
2004249719.tif 000004
【図３】
2004249719.tif 000005